(57)【要約】【課題】この発明は、コネクタに挿入された端子の導通状態を検査することができるとともに、該端子の係止に用いられる二重係止部がコネクタの一側面に突出しているか否かを検知することができる導通検査装置、及び導通検査方法の提供を目的とする。【解決手段】導通検査部４０を保持部３０側に向けて押し当て方向Ａへ移動させ、導通検査部４０の導通検査ピン４５を、保持部３０に保持した雄型コネクタ１の端子２に接触させて導通状態を検査する際、二重係止部５が雄型コネクタ１の一側面に突出していれば、雄型コネクタ１の一側面に沿って移動する導通検査部４０の突出検知アーム４１ａが二重係止部５に当接し、導通検査部４０と保持部３０とが離間した状態に規制される。導通検査部４０と保持部３０との当接を検知する当接検知スイッチ３５が作動しないことで、二重係止部５が雄型コネクタ１の一側面に突出していることを検知することができる。【選択図】図５
2015001440.tif 000002
【特許請求の範囲】
【請求項１】
挿入された端子と対応して二重係止部を一側面に設けたコネクタを保持する保持部と、該保持部に対して押し当て方向へ前後移動可能に設けた導通検査部とを備え、前記導通検査部に設けた導通検査ピンを、前記保持部に保持した前記コネクタの前記端子に接触させて導通状態を検査する導通検査装置であって、
前記導通検査部における前記保持部に押し当てられる押し当て側に、
前記保持部に保持された前記コネクタの前記二重係止部よりも前記導通検査部側の前記一側面に対して沿う状態に近接され、該コネクタの一側面に対して少なくとも前記導通検査部側が突出する前記二重係止部に対して前記押し当て方向から当接される突出検知手段を設け、
前記保持部と前記導通検査部とのうち少なくとも一方に、
前記保持部と前記導通検査部とが互いに押し当てられたことを検知する当接検知手段を設けた
導通検査装置。
【請求項２】
前記導通検査部を、
前記導通検査ピンを有する検査部と、前記突出検知手段を有する検知部とで構成し、
前記検知部を、
前記保持部と前記検査部との間に配置するとともに、該保持部と検査部との間において前記押し当て方向と平行する方向に対して前後移動可能に設けた
請求項１に記載の導通検査装置。
【請求項３】
前記コネクタの他のコネクタを接続する接続側に、
前記他のコネクタの嵌合が許容されるコネクタ嵌合部を設け、
前記突出検知手段を、
前記保持部に保持された前記コネクタのコネクタ嵌合部よりも後方へ延出するとともに、前記コネクタ嵌合部と前記二重係止部との間の一側面に対して近接される延出形状で形成した
請求項１又は２に記載の導通検査装置。
【請求項４】
前記保持部に、
前記突出検知手段を前記コネクタの前記二重係止部を設けた一側面に対して近接した状態に規制する規制部を設けた
請求項１〜３のいずれか一つに記載の導通検査装置。
【請求項５】
挿入された端子と対応して二重係止部を一側面に設けたコネクタを保持する保持部と、該保持部に対して押し当て方向へ前後移動可能に設けた導通検査部とを備え、前記導通検査部に設けた導通検査ピンを、前記保持部に保持した前記コネクタの前記端子に接触させて導通状態を検査する導通検査方法であって、
前記コネクタを前記保持部に保持する際、
前記導通検査部における前記保持部に押し当てられる押し当て側に突設した突出検知手段を、該保持部に保持された前記コネクタの前記二重係止部よりも前記導通検査部側の前記一側面に対して沿う状態に近接し、
前記導通検査部を前記押し当て方向へ移動させる際、前記突出検知手段を前記コネクタの一側面に沿う状態に近接したまま移動させ、
前記突出検知手段が、
前記押し当て方向からの当接が許容される状態に前記コネクタの一側面に突出する前記二重係止部に対して該押し当て方向から当接され、該当接により前記導通検査部の前記保持部に対する押し当て方向への移動が阻止された際、
前記導通検査部と前記保持部とが互いに押し当てられたことを検知する当接検知手段が作動せず、該当接検知手段が作動しないことで、少なくとも前記二重係止部の前記導通検査部側が前記コネクタの一側面に対して突出していることを検知する
導通検査方法。
【発明の詳細な説明】
【技術分野】
【０００１】
この発明は、例えば、自動車用ワイヤハーネスの接続を担うコネクタに挿入された端子の導通状態を検査するとともに、該端子の係止に用いられる二重係止部がコネクタの一側面に突出しているか否かを判別する際に用いられる導通検査装置、及び導通検査方法に関する。
【背景技術】
【０００２】
自動車等に装備された電装機器は、複数本の被覆電線を束ねたワイヤハーネスを介して、別の電装機器や電源装置と接続している。  
上述のワイヤハーネスには、コネクタの端子挿入孔に挿入した端子に、ランス部を一次係止して抜止めするとともに、該コネクタの一側装着面に装着した係止用スペーサ（以下、リテーナという）を二次係止する二重係止構造が採用されている。この場合、リテーナの装着状態を判別するコネクタ端子検出具（特許文献１参照）が提案されている。
【０００３】
特許文献１のコネクタ端子検出具は、検出器本体を受け部に対して押し当てられる押し当て方向へ移動させ、検出器本体に設けた導通検出子を、受け部に保持したコネクタの端子に接触させて該端子の導通状態を検査するととともに、該コネクタに装着したリテーナの装着状態を判別する。
【０００４】
すなわち、端子が所定位置に挿入されていれば、ランス部が端子に対して確実に係止されるので、リテーナがコネクタの装着面に対して面一となる状態に装着できる。この場合、リテーナに当接した検知ピンが外方へ押し出されず、検知ピンに当接したロックアームも検出器本体のアーム受け部に当接されないため、検出器本体の受け部側への移動が許容され互いに当接されることで、リテーナが突出していないことを判別できる。
【０００５】
端子がコネクタにおける所定位置に挿入されていなければ、ランス部の端子に対する係止が不確実となるので、リテーナがコネクタの装着面よりも外方へ突出することになる。この場合、検知ピンが外方へ押し出されることによって、ロックアームが検出器本体のアーム受け部に当接されるため、検出器本体の受け部側への移動が阻止され互いに当接されないことで、リテーナが突出していることを判別できる。
【０００６】
上述のように端子の導通状態を検査するとともに、リテーナの装着状態を判別する他の導通検査装置としては、例えば、雄型コネクタ６１を受け部６３と検出器本体６４とで保持した後、検出器本体６４を受け部６３に対して押し当てられる押し当て方向Ａへ移動させて、検出器本体６４の導通検出ピン６４ａを、雄型コネクタ６１の図示しない端子に接触させて導通状態を検査するととともに、該雄型コネクタ６１に装着したリテーナ６５の装着状態を判別する導通検査装置がある（図６、図７参照）。
【０００７】
端子が所定位置に挿入されていれば、リテーナ６５が雄型コネクタ６１の装着面に対して面一となる状態に装着されるため、リテーナ６５が受け部６３の一側内壁面に形成した凹部６３ａに係止されず、検出器本体６４の受け部６３側への移動が許容され互いに当接された際、当接検知スイッチ６６がＯＮ状態となって作動するため、リテーナ６５が突出していないこと、つまり、リテーナ６５が正規な状態で装着されていることを判別できる（図６（ａ）参照）。その結果、端子がコネクタの所定位置に挿入されていること判別できる。
【０００８】
端子が所定位置に挿入されていなければ、リテーナ６５が雄型コネクタ６１の一側面に突出するため、リテーナ６５が受け部６３の凹部６３ａに係止され、検出器本体６４の受け部６３側への移動が阻止される。検出器本体６４と受け部６３との間が隙間Ｇだけ離間した状態に規制され、互いに当接されない際、当接検知スイッチ６６が作動しないので、リテーナ６５が突出していないことを判別できる（図６（ｂ）参照）。
【０００９】
その結果、端子がコネクタの所定位置に挿入されていないことを判別でき、あるいは、リテーナ６５が正規でない状態に装着されていることを判別できる。
【００１０】
また、上述のリテーナ６５が、受け部６３の凹部６３ａに対して検出器本体６４を受け部６３に押し当てる押し当て方向Ａに係止される傾いた状態に突出している場合、リテーナ６５が受け部６３の凹部６３ａに対して確実に係止されるので、検出器本体６４の受け部６３側への移動が阻止される。検出器本体６４と受け部６３との間が隙間Ｇだけ離間した状態に規制され、互いに当接されない際、当接検知スイッチ６６が作動しないので、リテーナ６５が突出していることを判別できる（図７（ａ）参照）。
【００１１】
しかし、リテーナ６５が、図７（ｂ）に示すように、検出器本体６４を受け部６３に押し当てる押し当て方向Ａとは逆向きに傾いた状態に突出している場合、リテーナ６５を受け部６３の凹部６３ａに挿入することは可能であるが、検出器本体６４を受け部６３に押し当てられる押し当て方向Ａへ移動させる際、リテーナ６５が、図７（ｃ）に示すように、くさびのように作用して、検出器本体６４の受け部６３側への移動が許容され互いに当接されることになり、当接検知スイッチ６６がＯＮ状態に作動してしまうため、リテーナ６５が突出していること、つまり、リテーナ６５が正規でない状態で装着されているにもかかわらず、正規な状態で装着されていると誤判別されてしまう。
【先行技術文献】
【特許文献】
【００１２】
【特許文献１】特公平２−５６７８６号公報
【発明の概要】
【発明が解決しようとする課題】
【００１３】
この発明は、コネクタに挿入された端子の導通状態を検査することができるとともに、該端子の係止に用いられる二重係止部がコネクタの一側面に突出しているか否かを検知することができる導通検査装置、及び導通検査方法を提供することを目的とする。
【課題を解決するための手段】
【００１４】
この発明は、挿入された端子と対応して二重係止部を一側面に設けたコネクタを保持する保持部と、該保持部に対して押し当て方向へ前後移動可能に設けた導通検査部とを備え、前記導通検査部に設けた導通検査ピンを、前記保持部に保持した前記コネクタの前記端子に接触させて導通状態を検査する導通検査装置、及び導通検査方法であって、前記導通検査部における前記保持部に押し当てられる押し当て側に、前記保持部に保持された前記コネクタの前記二重係止部よりも前記導通検査部側の前記一側面に対して沿う状態に近接され、該コネクタの一側面に対して少なくとも前記導通検査部側が突出する前記二重係止部に対して前記押し当て方向から当接される突出検知手段を設け、前記保持部と前記導通検査部とのうち少なくとも一方に、前記保持部と前記導通検査部とが互いに押し当てられたことを検知する当接検知手段を設けた導通検査装置、及び導通検査方法であることを特徴とする。
【００１５】
この発明によれば、コネクタに挿入された端子の導通状態を検査することができるとともに、該端子の係止に用いられる二重係止部がコネクタの一側面に突出しているか否かを検知することができる。
【００１６】
詳述すると、端子が挿入されたコネクタを保持部に保持する際、導通検査部の突出検知手段は、コネクタの二重係止部よりも導通検査部側の一側面に対して沿う状態に近接する。  
上述の端子が所定位置に挿入されていれば、例えば、二重係止構造におけるランス部が端子に対して確実に一次係止されるので、二重係止部による二次係止も確実に行われる。この場合、二重係止部がコネクタの一側面に突出せず、突出検知手段の二重係止部に対する当接が回避される。
【００１７】
このため、導通検査部を保持部に対して押し当てられる押し当て方向へ移動させる際、突出検知手段は二重係止部に当接することなく、コネクタの二重係止部が設けられた一側面に沿う状態に近接したまま、保持部に対して押し当てられる押し当て方向に向けて導通検査部を移動させることができる。
【００１８】
これにより、導通検査部を保持部に押し当てた際、導通検査部の導通検査ピンを、保持部に保持したコネクタの端子に接触させて該端子の導通状態を検査することができる。かつ、導通検査部が保持部に押し当てられたことを当接検知手段で検知することができる。
【００１９】
つまり、当接検知手段により検知することで、二重係止部がコネクタの一側面に突出していないことを検知することができる。  
この結果、端子が所定位置に挿入されていることを知ることができる。
【００２０】
上述の端子が所定位置に挿入されていなければ、例えば、二重係止構造において、ランス部が端子に対して係止できない分だけ、二重係止部の少なくとも一部がコネクタの一側面に突出するので、突出検知手段が二重係止部に対して当接される。
【００２１】
突出検知手段の二重係止部に対する当接によって、導通検査部の保持部に対して押し当てられる押し当て方向への移動が阻止され、導通検査部と保持部とが離間した状態に規制されるため、当接検知手段が作動することがない。
【００２２】
つまり、当接検知手段が作動しないことで、二重係止部がコネクタの一側面に突出していることを検知することができる。  
この結果、端子が所定位置に挿入されていないことを知ることができる。さらに、ランス部の端子に対する係止が不確実であることも知ることが可能である。
【００２３】
しかも、導通検査部を保持部に対して押し当てられる押し当て方向へ移動させる際、突出検知手段を、二重係止部に対して導通検査部側からコネクタの一側面に沿って移動させるので、コネクタの一側面に対して導通検査部側のみが突出する傾いた状態で装着された二重係止部であっても、突出検知手段が二重係止部に対して確実に当接され、突出する二重係止部をより確実に検知することができる。
【００２４】
ここで、上記所定位置は、例えば、端子を、コネクタにおけるハウジング部の端子挿入孔に挿入した際、ハウジング部に設けたランス部と、該ハウジング部の一側面に設けた二重係止部とが正規な状態で係止される位置である。
【００２５】
上記二重係止部は、例えば、端子挿入孔に挿入した端子に対して係止されるリテーナ等で構成することができる。二重係止部は、例えば、コネクタのハウジング部に対して一体的に形成するか、ハウジング部の一側面に対して嵌込み可能に設けてもよい。
【００２６】
上記当接検知手段は、例えば、リミットスイッチ、光電センサ、近接センサ等で構成することができる。  
なお、実施形態では、端子を抜止めする構造として、例えば、ハウジング部に形成したランス部と、該ハウジング部の一側面に設けた二重係止部とを係止する二重係止構造について説明しているが、二重係止部のみを端子に係止する単一の係止構造を用いて抜止めしてもよい。
【００２７】
この発明の態様として、前記導通検査部を、前記導通検査ピンを有する検査部と、前記突出検知手段を有する検知部とで構成し、前記検知部を、前記保持部と前記検査部との間に配置するとともに、該保持部と検査部との間において前記押し当て方向と平行する方向に対して前後移動可能に設けることができる。
【００２８】
この発明によれば、コネクタの端子に導通検査ピンを導通させるための導通検査部の保持部に対する移動量に対して、コネクタの一側面に沿った移動範囲が異なる場合であっても、検知部で二重係止部の突出を検知することができる。また、二重係止部がコネクタの一側面に突出しているか否かをより高い精度で検知することができる。
【００２９】
詳述すると、導通検査部全体を保持部に対して押し当てられる押し当て方向へ移動させて、突出検知手段をコネクタの一側面に突出する二重係止部に当接する際、二重係止部の突出量が小さいと、突出検知手段を二重係止部に当接した際に生じる当接抵抗も小さく、導通検査部の保持部側への移動を阻止するのに十分な当接抵抗が得られないため、二重係止部の突出を検知することが難しい。
【００３０】
これに対し、本実施形態の導通検査装置、及び導通検査方法は、検知部のみを保持部に対して押し当てられる押し当て方向へ移動させ、検知部の突出検知手段をコネクタの一側面に突出する二重係止部に当接するので、導通検査部全体を保持部に対して押し当てられる押し当て方向へ移動させて検知するよりも、検知部の突出検知手段を二重係止部に当接した際に生じる当接抵抗によって、検知部の保持部側への移動を確実に阻止することができる。
【００３１】
このため、コネクタの一側面に対して導通検査部側のみが突出する傾いた状態で装着された二重係止部であっても、あるいは、二重係止部の突出量が小さくても、突出する二重係止部をより高い精度で検知することができる。
【００３２】
また、この発明の態様として、前記コネクタの他のコネクタを接続する接続側に、前記他のコネクタの嵌合が許容されるコネクタ嵌合部を設け、前記突出検知手段を、前記保持部に保持された前記コネクタのコネクタ嵌合部よりも後方へ延出するとともに、前記コネクタ嵌合部と前記二重係止部との間の一側面に対して近接される延出形状で形成することができる。
【００３３】
この発明によれば、コネクタ嵌合部によって隠れた位置に装着された二重係止部の突出をより確実に検知することができる。  
詳述すると、導通検査部側から見てコネクタ嵌合部によって隠れた位置に装着された二重係止部であっても、検知部の突出検知手段を、コネクタ嵌合部と二重係止部との間の一側面に対して沿う状態に近接することができる。
【００３４】
この結果、突出検知手段を、コネクタ嵌合部と二重係止部との間の一側面に対して近接する動作が、コネクタ嵌合部によって邪魔されることがなく、コネクタの一側面に設けられた二重係止部の突出をより確実に検知することができる。
【００３５】
また、この発明の態様として、前記保持部に、前記突出検知手段を前記コネクタの前記二重係止部を設けた一側面に対して近接した状態に規制する規制部を設けることができる。  
この発明によれば、検知部を保持部に対して押し当てられる押し当て方向へ移動させる際、該検知部の突出検知手段がコネクタの一側面から離間することを防止できる。
【００３６】
詳述すると、検知部の突出検知手段を、保持部の規制部によってコネクタの一側面に対して近接した状態に規制するので、突出検知手段をコネクタの一側面に沿って、検知部が保持部に対して押し当てられる押し当て方向に移動させる際、突出検知手段がコネクタの一側面から離間することを防止できる。  
この結果、コネクタの一側面に対して導通検査部側のみが突出する傾いた状態で装着された二重係止部であっても、突出する二重係止部をさらに確実に検知することができる。
【発明の効果】
【００３７】
この発明によれば、コネクタに挿入された端子の導通状態を検査することができるとともに、該端子の係止に用いられる二重係止部がコネクタの一側面に突出しているか否かを検知することができる導通検査装置、及び導通検査方法を提供することができる。
【図面の簡単な説明】
【００３８】
【図１】本実施形態の導通検査装置を前側斜め上方から見た斜視図。
【図２】図１の導通検査装置における平面方向の横断面図。
【図３】検知部、及び検査部を初期位置へ復帰する構造の説明図。
【図４】二重係止部の突出を検知しない非検知時の説明図。
【図５】二重係止部の突出を検知する検知時の説明図。
【図６】他の例の導通検査装置による導通検査状態の説明図。
【図７】図６の導通検査装置による導通検査状態の説明図。
【発明を実施するための形態】
【００３９】
この発明の一実施形態を以下図面に基づいて詳述する。  
図１は本実施形態の導通検査装置１０を前側斜め上方から見た斜視図、図２は図１の導通検査装置１０における平面方向の横断面図である。  
図３は検知部４１、及び検査部４２を初期位置へ復帰する構造の説明図であり、図３（ａ）は検知部４１を初期位置へ復帰する構造部分の横断平面図、図３（ｂ）は検査部４２を初期位置へ復帰する構造部分の横断平面図である。
【００４０】
図４は二重係止部５が突出していない非検知時の説明図であり、詳しくは、図４（ａ）は突出検知アーム４１ａを雄型コネクタ１の一側面に近接させた状態の横断平面図、図４（ｂ）は突出検知アーム４１ａが正規な状態に装着された二重係止部５上を移動する状態の横断平面図である。
【００４１】
図５は二重係止部５の突出を検知する検知時の説明図であり、詳しくは、図５（ａ）は突出検知アーム４１ａが正規でない装着状態の二重係止部５に当接された状態の横断平面図、図５（ｂ）は突出検知アーム４１ａが正規でない装着状態の二重係止部５に当接された状態の横断平面図である。
【００４２】
本実施形態の導通検査装置１０は、雄型コネクタ１の端子２を導通検査する際、導通検査部４０を保持部３０側へ移動させ、導通検査部４０の導通検査ピン４５を、保持部３０に保持した雄型コネクタ１の端子２に接触させて該端子２の導通状態を検査する検査装置であり、雄型コネクタ１を保持する保持部３０と、前後方向Ｘに移動可能な導通検査部４０と、導通検査部４０を保持部３０に対して押し当てられる押し当て方向Ａへ前後移動させる操作部５０とを、基台２０に対して前端側（図１左下）から後端側（図１右上）に向けてこの順で配置して構成している。
【００４３】
なお、上述の雄型コネクタ１は、ハウジング部１ａの端子挿入孔１ｂに挿入した雄型の端子２に、ハウジング部１ａ内に形成したランス部４を一次係止して抜止めするとともに、該ハウジング部１ａの一側面に装着した二重係止部５を二次係止する二重係止構造が採用されている。
【００４４】
また、ハウジング部１ａは、ピン支持部４３の突出部４３ａや雌型コネクタの挿入を許容するコネクタ嵌合部１ｃと、端子２に接続された被覆電線３の導出を許容する電線導出部１ｄとで構成するとともに、端子２の挿入を許容する端子挿入孔１ｂを設けている。さらにまた、電線導出部１ｄの一側面を、二重係止部５の装着を許容する装着部を有する装着面１ｅとしている。
【００４５】
導通検査装置１０の基台２０は、前後方向Ｘと平行して横長に形成した底板２１と、底板２１における前後方向Ｘの両側部に連設した一対の側板２２とで構成し、前後方向Ｘにおける前面、後面、上面を開放するともに、前後方向Ｘに垂直な面で切断した断面形状が凹状となるように形成している。  
保持部３０は、本体部３０ａの上面側中央部に、雄型コネクタ１におけるハウジング部１ａの外面と略合致する大きさ、及び形状のハウジング受け部３１を形成している（図２、図４、図５参照）。
【００４６】
ハウジング受け部３１は、二重係止部５の少なくとも一部がハウジング部１ａの装着面１ｅに対して突出する状態において、該ハウジング部１ａの保持が許容される大きさ、及び形状に形成しており、ハウジング部１ａを前後方向Ｘと平行する方向に向けた姿勢に保持する。
【００４７】
ハウジング受け部３１の後端側には、ハウジング部１ａの一端側に形成したコネクタ嵌合部１ｃを、後方側（導通検査部４０側）に向けた状態に保持する嵌合側受け部３１ａを形成している。  
ハウジング受け部３１の前端側には、ハウジング部１ａの他端側に形成した電線導出部１ｄを、前方側に向けた状態に保持する導出側受け部３１ｂを形成している。導出側受け部３１ｂに保持される電線導出部１ｄには、端子２に接続された被覆電線３を外部に向けて引き出している。
【００４８】
ハウジング受け部３１における前記ハウジング部１ａの装着面１ｅと対向する一側内壁面には、導通検査部４０における検知部４１の突出検知アーム４１ａを、ハウジング部１ａの装着面１ｅに対して沿う状態に規制する規制部３２を形成している。
【００４９】
これにより、突出検知アーム４１ａの検知側先端部４１ａａを、二重係止部５に対して導通検査部４０側からハウジング部１ａの装着面１ｅに沿って移動させる際、該突出検知アーム４１ａの検知側先端部４１ａａが、ハウジング部１ａの装着面１ｅに対して突出する二重係止部５に当接が回避されるほど離間することを防止している。
【００５０】
上述の規制部３２よりも嵌合側受け部３１ａ側に寄ったハウジング受け部３１の一側内壁面には、突出検知アーム４１ａに突設した突起３４が係止される凹部３３を形成している。  
凹部３３は、突出検知アーム４１ａの突起３４を凹部３３の前側内壁面と後側後内壁面とに当接することで、検知部４１全体を、突出検知アーム４１ａが雄型コネクタ１のコネクタ嵌合部１ｃと二重係止部５との間の装着面１ｅに対向される後退位置と、該二重係止部５上に移動した前進位置とに前後移動可能に設けている。凹部３３の前後内壁面間の間隔は、検知部４１の前後方向Ｘに対する移動ストロークと同一に設定している。
【００５１】
保持部３０において、検知部４１が当接される対向部分には、検知部４１の保持部３０に当接される端面と対向して、検知部４１が保持部３０に当接されたことを検知する当接検知スイッチ３５を設けている（図２、図４参照）。  
当接検知スイッチ３５は、検知部４１が保持部３０に当接された際にＯＮ状態となって作動する。検知部４１が保持部３０に当接されず、検知部４１と保持部３０との間が隙間Ｇだけ離間した状態に規制された際、ＯＮ状態とならず、ＯＦＦ状態を維持する。
【００５２】
導通検査部４０は、雄型コネクタ１の装着面１ｅに対して突出した二重係止部５を検知する検知部４１と、雄型コネクタ１の端子挿入孔１ｂに挿入された端子２の導通状態を検査する検査部４２とで構成しており、検知部４１は、保持部３０と検査部４２との間において前後方向Ｘに対して自由に前後移動可能に設けている。
【００５３】
検知部４１は、雄型コネクタ１の装着面１ｅに対して突出する二重係止部５に当接される突出検知アーム４１ａと、基台２０の前後方向Ｘと平行する方向に対して前後移動可能に取り付けた支持部４１ｂとで構成している。
【００５４】
突出検知アーム４１ａは、凹部３３において突起３４が後側に規制されている後退位置において、保持部３０に保持された雄型コネクタ１のコネクタ嵌合部１ｃよりも後方へ所定長さ延出するとともに、雄型コネクタ１のコネクタ嵌合部１ｃと、該コネクタ嵌合部１ｃの前側装着面１ｅに装着した二重係止部５との間の装着面１ｅに対して沿う状態に近接される長さ、及び形状の延出形状に形成している。
【００５５】
これにより、突出検知アーム４１ａを、コネクタ嵌合部１ｃと二重係止部５との間の装着面１ｅに対して近接する動作が、コネクタ嵌合部１ｃによって邪魔されることなく、コネクタ嵌合部１ｃと二重係止部５との間の装着面１ｅに対して二重係止部５の突出が検知される近接状態に沿わせることができる。
【００５６】
突出検知アーム４１ａの規制部３２が当接される背面側中間部には、上述したように、ハウジング受け部３１の凹部３３に対して係止される突起３４を突設している。  
突起３４は、検知部４１を保持部３０と検査部４２との間において前後移動させる際、凹部３３の前後内壁面に当接され、突出検知アーム４１ａがハウジング受け部３１から引き抜かれることを防止している（図２、図４参照）。
【００５７】
支持部４１ｂの前面側中央部には、検査部４２におけるピン支持部４３の挿入と、該ピン支持部４３の進退が許容される大きさ、及び形状の貫通窓４１ｃを前後方向Ｘに貫通して形成している。
【００５８】
支持部４１ｂの下部中央には、基台２０の幅方向Ｙ中央部に架設した前後方向Ｘと平行するガイド軸２３と、該ガイド軸２３に装着したコイルばね２４との挿入が許容される孔径の貫通孔４１ｄを前後方向Ｘに貫通して形成している。
【００５９】
貫通孔４１ｄの両側部分には、貫通孔４１ｄを基準として、筒状の軸受部２５を対称位置に圧入固定している。さらに、軸受部２５には、保持部３０において軸受部２５と対向する部分に固定した２本のガイド軸２６を前後摺動可能に挿入している（図３（ａ）参照）。
【００６０】
支持部４１ｂの前面側下部には、貫通孔４１ｄを基準として、検知部４１を基台２０の後退位置に向けて復帰するための検知部付勢部材２７を対称位置に配置している（図３（ｂ）参照）。
【００６１】
検知部付勢部材２７は、検知部４１を基台２０の後端側に向けて復帰するための付勢機能を備えたプローブピンで構成され、支持部４１ｂの前面側下部と対向して保持部３０の下部に固定している。
【００６２】
上述の検知部付勢部材２７によって、検知部４１を、基台２０の後端側に向けて後退させる際、突出検知アーム４１ａの突起３４が、保持部３０に形成した凹部３３の後側内壁面に当接するため、検知部４１が、保持部３０のハウジング受け部３１に対して雄型コネクタ１の保持が許容される間隔に隔てた位置に規制される。
【００６３】
さらに、検知部４１の突出検知アーム４１ａが、保持部３０に保持された雄型コネクタ１のコネクタ嵌合部１ｃと、該コネクタ嵌合部１ｃの前側装着面１ｅに装着した二重係止部５との間の装着面１ｅに対して近接した検知開始位置に規制される。
【００６４】
検査部４２は、保持部３０に保持された雄型コネクタ１のコネクタ嵌合部１ｃに向けて突設したピン支持部４３と、該ピン支持部４３をコネクタ嵌合部１ｃに対して挿入される方向に向けて固定した本体部４４とで構成している。
【００６５】
ピン支持部４３の前端側には、検知部４１の貫通孔４１ｄを介して、雄型コネクタ１のコネクタ嵌合部１ｃに対して挿入される長さ、及び形状に形成した突出部４３ａを突出している。ピン支持部４３の後端側には、本体部４４の前面側中央部に固定される基部４３ｂを形成している。
【００６６】
ピン支持部４３の突出部４３ａには、雄型コネクタ１のコネクタ嵌合部１ｃ内に突設した端子２と対応して、該端子２の突出側端部に対して導通可能に接触される導通検査ピン４５を固定している。導通検査ピン４５に接続した導通線４５ａは、本体部４４から外部に引き出して図示しない導通装置に接続している。
【００６７】
本体部４４は、基台２０に架設したガイド軸２３に対して前後摺動可能に取り付けている。検知部４１と検査部４２（本体部４４）との間のガイド軸２３上には、検査部４２を基台２０の後端側初期位置に向けて復帰するためのコイルばね２４を装着している（図３（ａ）参照）。
【００６８】
上述のガイド軸２３に沿って、検査部４２全体を、ピン支持部４３の突出部４３ａが保持部３０に保持した雄型コネクタ１のコネクタ嵌合部１ｃに挿入され、該突出部４３ａの導通検査ピン４５がコネクタ嵌合部１ｃ内に突設した端子２に対して導通可能に接触される前進位置と、ピン支持部４３の突出部４３ａ全長が保持部３０に保持した雄型コネクタ１のコネクタ嵌合部１ｃから抜き取られる後退位置とに前後移動可能に設けている（図２、図４参照）。
【００６９】
すなわち、検査部４２を、上述の前進位置と後退位置とに前後移動するので、検知部４１の移動ストロークよりも、検査部４２の前後方向Ｘに対する移動ストロークを長く設定している。
【００７０】
上述のように、検知部４１、及び検査部４２の保持部３０に対する移動量に対して、雄型コネクタ１の装着面１ｅに沿った移動範囲が異なる場合であっても、検知部４１のみを前後移動させることで、二重係止部５の突出をより高い精度で検知することができる。
【００７１】
操作部５０は、検査部４２を保持部３０側に向けて移動するためのレバー５１を、該検査部４２よりも後側の側板２２，２２間に枢着している。  
レバー５１は、該レバー５１の二又側両端部を、図示しない枢支ピンを介して、基台２０における側板２２，２２の後端側対向面に対して前後回動可能に枢着している。レバー５１の二又側両端部には、検査部４２における本体部４４の後側両縁部に対して当接されるカム部５２を形成している。
【００７２】
側板２２の後端側外面に固定したレバー支持部５３には、レバー５１を後方へ後退させる図示しない後退用バネを内蔵している。すなわち、レバー５１に一定圧が掛かると、後退用バネの復元力により、レバー５１が後退移動される。これにより、カム部５２の本体部４４に対する当接が解除される（図１、図４参照）。
【００７３】
上述のレバー５１を前方へ回動操作して、カム部５２を検査部４２に対して後方から当接すれば、コイルばね２４の復元力に抗して、検査部４２を、検知部４１を介して保持部３０側へ前進させることができる。
【００７４】
検査部４２をさらに前進させると、ピン支持部４３の突出部４３ａが、保持部３０に保持した雄型コネクタ１のコネクタ嵌合部１ｃに挿入され、突出部４３ａ内に配置した導通検査ピン４５を、コネクタ嵌合部１ｃ内に突設した端子２に対して導通可能に接触させることができる。
【００７５】
一方、レバー５１を後方へ回動操作して、カム部５２の検査部４２に対する当接を解除すれば、コイルばね２４の復元力によって、検査部４２が基台２０の後端側待機位置に向けて後退する。  
検査部４２をさらに後退させると、ピン支持部４３の突出部４３ａが、保持部３０に保持された雄型コネクタ１のコネクタ嵌合部１ｃから抜き取られ、導通検査ピン４５の端子２に対する接触を解除することができる。
【００７６】
次に、上述の導通検査装置１０を用いて、雄型コネクタ１の端子挿入孔１ｂに挿入された端子２の導通状態を検査する導通検査方法について説明する。  
先ず、端子２が挿入された雄型コネクタ１のハウジング部１ａを、保持部３０のハウジング受け部３１に保持する際、該雄型コネクタ１のコネクタ嵌合部１ｃを導通検査部４０側に向けて保持する。
【００７７】
このとき、導通検査部４０における検知部４１の突出検知アーム４１ａは、保持部３０に保持した雄型コネクタ１のコネクタ嵌合部１ｃと、該コネクタ嵌合部１ｃの前側装着面１ｅに装着した二重係止部５との間の装着面１ｅに対して沿う状態に近接する。
【００７８】
上述の端子２が、雄型コネクタ１における端子挿入孔１ｂ内の所定位置に挿入されていれば、ランス部４が端子２に対して確実に一次係止されるとともに、二重係止部５による二次係止が確実に行われる。
【００７９】
この場合、二重係止部５は、雄型コネクタ１の装着面１ｅに対して突出されず、雄型コネクタ１の装着面１ｅに対して面一となる正規な状態に装着されているので、突出検知アーム４１ａの二重係止部５に対する当接が回避される（図４（ａ）参照）。
【００８０】
操作部５０のレバー５１を前方へ回動操作して、カム部５２の検査部４２に対する当接により、導通検査部４０の検査部４２を保持部３０側へ移動させ、検査部４２を検知部４１に対して後方側から押し当てるとともに、導通検査部４０全体を保持部３０側へ移動させる。
【００８１】
検知部４１を、保持部３０に対して押し当てられる押し当て方向Ａへ移動させる際、検知部４１の突出検知アーム４１ａを、雄型コネクタ１の二重係止部５を装着した装着面１ｅに対して沿う状態に近接したまま移動させるので、突出検知アーム４１ａの検知側先端部４１ａａが二重係止部５に当接することなく該二重係止部５上を移動する。  
これにより、導通検査部４０の保持部３０側への移動が阻止されることなく、検査部４２を介して、検知部４１を保持部３０に押し当てることができる（図４（ｂ）参照）。
【００８２】
上述のように検知部４１を保持部３０に押し当てる際、検知部４１の貫通窓４１ｃよりも前方に突出したピン支持部４３の突出部４３ａを、雄型コネクタ１のコネクタ嵌合部１ｃに挿入するとともに、検査部４２の導通検査ピン４５を、雄型コネクタ１のコネクタ嵌合部１ｃ内に突設した端子２に接触させて、該端子２の導通状態を検査することができる。
【００８３】
また、検知部４１を保持部３０に押し当てた際、当接検知スイッチ３５がＯＮ状態となって作動するため、検知部４１と保持部３０との当接を検知することができる。  
つまり、当接検知スイッチ３５がＯＮ状態に作動することで、二重係止部５が雄型コネクタ１の装着面１ｅに対して突出していないことを検知することができる。  
この結果、端子２が端子挿入孔１ｂ内の所定位置に挿入されていることを知ることができる。
【００８４】
逆に、端子２が端子挿入孔１ｂ内の所定位置に挿入されていなければ、ランス部４の端子２に対する一次係止と、二重係止部５による二次係止とが不確実となる。この場合、ランス部４が端子２に対して係止できない分だけ、二重係止部５の少なくとも一部が雄型コネクタ１の装着面１ｅに対して突出することになる。
【００８５】
上述のように、二重係止部５が正規でない状態に装着された場合であっても、上述と同様に、操作部５０のレバー５１を前方へ回動操作して、カム部５２の検査部４２に対する当接により、導通検査部４０の検査部４２を保持部３０側へ移動させ、検査部４２を検知部４１に対して後方側から押し当てて、導通検査部４０全体を保持部３０側へ移動させる。
【００８６】
検知部４１の突出検知アーム４１ａを、雄型コネクタ１の二重係止部５を装着した装着面１ｅに対して沿う状態に近接したまま移動させるので、雄型コネクタ１の装着面１ｅに対して突出する二重係止部５の突出量が小さくても、突出検知アーム４１ａを二重係止部５の突出部分に対して確実に当接することができる（図５（ａ）参照）。
【００８７】
突出検知アーム４１ａの二重係止部５に対する当接によって、導通検査部４０全体の保持部３０側への移動が阻止され、検知部４１と保持部３０との間に形成される隙間Ｇだけ、検知部４１と保持部３０とが離間した状態に規制されるので、当接検知スイッチ３５が作動せず、ＯＦＦ状態のままである。
【００８８】
つまり、当接検知スイッチ３５がＯＮ状態に作動しないことで、二重係止部５が雄型コネクタ１の装着面１ｅに対して突出していることを検知することができる。  
この結果、端子２が端子挿入孔１ｂ内の所定位置に挿入されていないことを知ることができる。さらに、ランス部４の端子２に対する係止が不確実であることも知ることが可能である。
【００８９】
上述の二重係止部５が、検知部４１を保持部３０に押し当てる押し当て方向Ａとは逆向きに導通検査部４０側のみが突出する傾いた状態に突出していても、検知部４１の突出検知アーム４１ａを、雄型コネクタ１の装着面１ｅに対して突出する二重係止部５の突出部分に押し当て方向Ａから確実に当接することができる（図５（ｂ）参照）。
【００９０】
突出検知アーム４１ａの二重係止部５に対する当接によって、導通検査部４０全体の保持部３０側への移動が阻止され、検知部４１と保持部３０との間に形成される隙間Ｇだけ、検知部４１と保持部３０とが離間した状態に規制されるので、当接検知スイッチ３５が作動せず、ＯＦＦ状態のままである。
【００９１】
つまり、当接検知スイッチ３５がＯＮ状態に作動しないことで、二重係止部５が雄型コネクタ１の装着面１ｅに対して突出していることをより確実に検知することができる。  
この結果、端子２が端子挿入孔１ｂ内の所定位置に挿入されていないことを知ることができる。
【００９２】
さらに、検知部４１の突出検知アーム４１ａを、保持部３０に保持された雄型コネクタ１のコネクタ嵌合部１ｃよりも後方へ延出して、コネクタ嵌合部１ｃと二重係止部５との間の装着面１ｅに対して沿う状態に近接するので、突出検知アーム４１ａにより二重係止部５の突出を検知する際、コネクタ嵌合部１ｃによって邪魔されることがなく、コネクタ嵌合部１ｃの前側装着面１ｅに配置された二重係止部５の突出をより確実に検知することができる。
【００９３】
この発明の構成と、前記実施形態との対応において、  
この発明のコネクタは、実施形態の雄型コネクタ１に対応し、  
以下同様に、  
コネクタの一側面は、雄型コネクタ１の装着面１ｅに対応し、  
導通検知手段は、導通検知スイッチ３５に対応し、  
突出検知手段は、突出検知アーム４１ａに対応するも、  
この発明は、上述の実施形態の構成のみに限定されるものではなく、請求項に示される技術思想に基づいて応用することができ、多くの実施の形態を得ることができる。
【００９４】
本実施形態では、検知部４１の移動ストロークが、検査部４２の移動ストロークよりも短いため、検知部４１を独立して前後移動するように構成した例を説明したが、例えば、検知部４１、及び検査部４２の移動ストロークが同一であれば、検知部４１、及び検査部４２を一体に構成してもよい。
【００９５】
また、コネクタを雄型コネクタ１で構成し、端子を雄型の端子２で構成した例について説明したが、例えば、端子を雌型の端子で構成し、コネクタを雌型コネクタで構成することもできる。
【符号の説明】
【００９６】
Ａ…押し当て方向
Ｘ…前後方向
Ｇ…隙間
１…雄型コネクタ
１ａ…ハウジング部
１ｂ…端子挿入孔
１ｃ…コネクタ嵌合部
２…端子
４…ランス部
５…二重係止部
１０…導通検査装置
２０…基台
３０…保持部
３１…ハウジング受け部
３２…規制部
３５…当接検知スイッチ
４０…導通検査部
４１…検知部
４１ａ…突出検知アーム
４２…検査部
４３…ピン支持部
４５…導通検査ピン
５０…操作部
【図１】
2015001440.tif 000003
【図２】
2015001440.tif 000004
【図３】
2015001440.tif 000005
【図４】
2015001440.tif 000006
【図５】
2015001440.tif 000007
【図６】
2015001440.tif 000008
【図７】
2015001440.tif 000009